(57)【特許請求の範囲】
【請求項１】
使用者の頭部と連接してこれを支える枕本体部と、この枕本体部を回転自在に支える脚部とから構成する入浴用枕おいて、枕本体部は、外形を左右に細長い偏平体に形成し、その一面は、所要に離隔する揉み球が突出して形成するマッサージ面に、反対の他方面は、使用者の頭部の横ずれを防止する湾曲凹陥部を備える安楽支承面に形成し、左右の両端を軸部に形成してなる入浴用枕。
【請求項２】
前記脚部は、その頂端面に、その頂端面と左右側面とに開口する軸受溝を形成し、その軸受溝に枕本体部の軸部を嵌合し、回転自在に支承してなる請求項１の入浴用枕。
【請求項３】
前記脚部の頂端面に開口する軸受溝の頂端開口縁間の幅は、枕本体部の軸部の軸径より小さく形成し、着脱可能であると共に、軸受溝の内径面が枕本体部の軸部の外径面を軽く圧接し、枕本体部を定位に保持してなる請求項２の入浴用枕。
【請求項４】
前記脚部は、左右を対称の脚部半体より構成し、その脚部半体の内面に成型する接続筒を、ピンのあるピン付き接続筒と、ピンなし接続筒とから構成し、ピンが他方側のピンなし接続筒に嵌入して接続してなる請求項３の入浴用枕。
【請求項５】
前記脚部半体の両下端には、半体又部および半体軸部を形成し、脚部半体の腹合せ時に、半体又部および半体軸部を互いに突合い、もって又部および内側に軸部を構成してなる請求項４の入浴用枕。
【発明の詳細な説明】
【０００１】
【発明が属する技術分野】
この発明は、浴槽の縁に置き、浴槽に入ったときに頭をのせてリラックスあるいは首筋、肩、背中、腰、足裏などのもみ作用を適宜選択して行うことができる入浴用枕に関するものである。
【０００２】
【従来の技術】
従来、浴槽に入ったときに使用する枕としては、タオル、手ぬぐいを丸めまたは折畳んで使用している。また、布製その他の浴室専用の枕も提案されている。
【０００３】
【発明が解決しようとする課題】
前記従来の項で述べたように、タオル、手ぬぐいを使用する場合は、浴槽の角を幾分丸めて頭を載せやすくするが、その支承面積は狭く、あくまで間合せである。また、浴槽との接触抵抗も弱いから、重さ掛り具会いで保持力失い、枕部分がずれて、頭を安定した位置に支持できない。また、吸水しているから、特に冬場では、枕部分の温度が下がり、頭部を冷却する等の欠点がある。また、布製その他の浴室専用の枕もほぼ同様の欠点がある。
【０００４】
この発明は、前記従来の欠点を解消しようとしてなされたものである。浴槽の縁に治り良く、安定して定位置に保持し、頭部に対して適度に広い載せ面を具え、またその載せ面を転回して、所要の間隔で併置する揉み球を突出配置する揉み面と変換自在に構成してなる入浴用枕を提供することを目的としてなされたものである。
【０００５】
【課題を解決するための手段】
使用者の頭部と連接してこれを支える枕本体部と、この枕本体部を回転自在に支える脚部とから構成する入浴用枕おいて、枕本体部は、外形を左右に細長い偏平体に形成し、その一面は、所要に離隔する揉み球が突出して形成するマッサージ面に、反対の他方面は、使用者の頭部の横ずれを防止する湾曲凹陥部を備える安楽支承面に形成し、左右の両端を軸部に形成してなる入浴用枕にある。
【０００６】
前記脚部は、その頂端面に、その頂端面と左右側面とに開口する軸受溝を形成し、その軸受溝に枕本体部の軸部を嵌合し、回転自在に支承してもよいものである。
【０００７】
前記脚部の頂端面に開口する軸受溝の頂端開口縁間の幅は、枕本体部の軸部の軸径より小さく形成し、着脱可能であると共に、軸受溝の内径面が枕本体部の軸部の外径面を軽く圧接し、枕本体部を定位に保持してもよいものである。
【０００８】
前記脚部は、左右を対称の脚部半体より構成し、その脚部半体の内面に成型する接続筒を、ピンのあるピン付き接続筒と、ピンなし接続筒とから構成し、ピンが他方側のピンなし接続筒に嵌入して接続してもよいものである。
【０００９】
前記脚部半体の両下端には、半体又部および半体軸部を形成し、脚部半体の腹合せ時に、半体又部および半体軸部を互いに突合い、もって又部および内側に軸部を構成してもよいものである。
【００１０】
【発明の実施の形態】
使用者の頭部と連接してこれを支える枕本体部と、この枕本体部を回転自在に支える脚部とから構成する入浴用枕おいて、枕本体部は、外形を左右に細長い偏平体に形成し、その一面は、所要に離隔する揉み球が突出して形成するマッサージ面に、反対の他方面は、使用者の頭部の横ずれを防止する湾曲凹陥部を備える安楽支承面に形成し、左右の両端を軸部に形成し、脚部は、側面形状を逆Ｖ字型に成型し、その両下端を又部に形成し、この又部の内側に、夫々吸盤型固定座の背面に突設形成する基台部を嵌合すると共に、又部に配備した軸部に、吸盤型固定座の基台部に設けた取付孔を挿通し、脚部の又部の軸部を中心に所要角回動自在に連結し、夫々の吸盤型固定座の吸着面の角度を調節自在に設け、また、脚部は、その頂端面に、その頂端面と左右側面とに開口する軸受溝を形成し、その軸受溝に枕本体部の軸部を嵌合し、回転自在に支承し、また、脚部の頂端面に開口する軸受溝の頂端開口縁間の幅は、枕本体部の軸部の軸径より小さく形成し、着脱可能であると共に、軸受溝の内径面が枕本体部の軸部の外径面を軽く圧接し、枕本体部を定位に保持し、また、脚部は、左右を対称の脚部半体より構成し、その脚部半体の内面に成型する接続筒を、ピンのあるピン付き接続筒と、ピンなし接続筒とから構成し、ピンが他方側のピンなし接続筒に嵌入して接続し、前記脚部半体の両下端には、半体又部および半体軸部を形成し、脚部半体の腹合せ時に、半体又部および半体軸部を互いに突合い、もって又部および内側に軸部を構成し、使用者の頭部と連接してこれを支える前記枕本体部と、この枕本体部を回転自在に支える前記脚部とから構成する入浴用枕。
【００１１】
【実施例】
以下、この発明の入浴用枕を実施例として示す図面により説明すると、図示の入浴用枕１は、使用者の頭部と連接してこれを支える枕本体部２と、この枕本体部２を回転自在に支える脚部３とから構成する。
【００１２】
前記枕本体部２は、外形を左右に細長い偏平体に形成し、その一面は、所要に離隔する揉み球４、４が突出して形成するマッサージ面５に、反対の他方面は、使用者の頭部の横ずれを防止する湾曲凹陥部６を備える安楽支承面７に形成し、左右の両端は、外れ止め鍔８、８付きの軸部９、９に形成している。
【００１３】
前記脚部３は、この実施例では、Ｖ字型に成型し、その両下端を又部１０、１０に形成し、この又部１０、１０の内側に、夫々吸盤型固定座１１の背面に突設形成する基台部１１ａを嵌合すると共に、又部１０、１０に配備した軸部１０ａ、１０ａに、吸盤型固定座１１の基台部１１ａに設けた取付孔１２を挿通し、脚部３の又部１０、１０の軸部１０ａ、１０ａを中心に回動自在に連結し、夫々の吸盤型固定座１１の吸着面１１ｂの角度を調節自在に設けている。
【００１４】
前記脚部３は、その頂端面３ａに、その頂端面３ａと左右側面３ｂ、３ｂとに開口する軸受溝１３を形成し、その軸受溝１３に前記枕本体部２の軸部９、９を嵌合し、回転自在に支承する。枕本体部２の軸部９、９の外端に設けている外れ止め鍔８、８は、両脚部３の対応側面に突合して組み合った状態を維持する。
【００１５】
前記脚部３の頂端面３ａに開口する軸受溝１３の頂端開口縁１３ａ、１３ａ間の幅は、前記枕本体部２の軸部９、９の軸径より小さく形成し、初めに嵌合するときには、軸部９、９を下方に押し下げることにより軸受溝１３の頂端開口縁１３ａ、１３ａ間を拡開して通過させ、その通過後は、拡開した軸受溝１３の内径面が反力で戻り、軸部９、９が上方へ容易に外れないようにすると共に、軸受溝１３の内径面が軸部９、９の外径面に軽く圧接し、脚部３は枕本体部２を定位に保持する。
【００１６】
前記枕本体部２は、合成樹脂材を射出により成型する。全体を一度に成型することは不可能であるから、例えば、図示しないが、揉み球４、４が突出して形成するマッサージ面５側半体と、横ずれを防止する湾曲凹陥部６を備える安楽支承面７側半体とに大きく２分し、その一方の両端に軸部９、９を接続して同時に成型し、外れ止め鍔８、８を別体で成型する、３分割成型方法がある。そして、それらを超音波溶着等で接着組み立てにより完成する。勿論、この成型方法に限定するものではない。前記３分割成型方法ではなく、揉み球４、４が突出して形成するマッサージ面５と、横ずれを防止する湾曲凹陥部６を備える安楽支承面７と、両端に軸部９、９と、外れ止め鍔８、８とを接続した半体を成型し、その開放端を超音波溶着等で接着組み立てにより完成する成型方法もある。
【００１７】
前記脚部３についても、前記枕本体部２と同様に、合成樹脂材を射出により成型する。その成型方法については、図９に示すように、左右が対称形であるので、左右に２分して同一の半体型で足り、この半体型により脚部半体３ｃを成型し、その開放端を互いに腹合わせに接続することにより脚部３の全体を構成することができる。
【００１８】
前記脚部半体３ｃの内面に成型する接続筒１４は、ピン１５のあるピン付き接続筒１４ａと、ピンなし接続筒１４ｂとから構成し、ピン１５が他方側のピンなし接続筒１４ｂに嵌入して接続する。また、脚部半体３ｃの両下端には、半体又部１０１および半体軸部１０ａ１を形成し、脚部半体３ｃの腹合せ時に、半体又部１０１および半体軸部１０ａ１を互いに突合い、もって又部１０、１０および内側に軸部１０ａ、１０ａを構成するものである。このピン１５の嵌入部、互いに接合部および突合部は、超音波溶着等の接着手段により固着する。
【００１９】
前記脚部３の成型について、前記実施例に限定するものではない。すなわち、脚部半体３ｃの外周壁の内端面を突合させ、この突合部を超音波等により接続してもよいものである。また、ネジによる固着手段でもよいものである。
【００２０】
この発明の入浴用枕１の実施例は、以上のように構成されるから、枕本体部２と、脚部を容易に成型し、製造することができる。そして、その組み立てについても、枕本体部２の両端の軸部９、９を脚部３の頂端面３ａに開口する軸受溝１３に押込むことによって容易に結合することができ、また、必要により元の状態に分解することができる。
【００２１】
また、使用にあたっては、脚部３は、軸支部によって支持角が調整自在の吸盤型固定座１１を配備しているから、図１０に示すように、脚部３の両下端を浴槽１６の上縁１６ａと内壁面１６ｂとに連接し、しっかりと定置することができる。そして、脚部３は、枕本体部２を挟持して枕本体部２の一方面に形成されるマッサージ面５または安楽支承面７を定位することができ、また好みの面に変え、その位置に接続されることができる。
【００２２】
【発明の効果】
以上のように、この発明の入浴用枕はなるから、浴槽の縁に治り良く、安定して定位置に全体を保持し、また、枕本体部の頭部に対して適度に広く、横ずれを防ぐ安楽支承面と、所要の間隔で併置する揉み球を突出配置するマッサージ面とを選択して使用することができる。
【００２３】
また、組み立て後も容易に分解することができるから汚れを細部まで落とすことができ、清潔にすることができる。
【００２４】
よって、この発明の入浴用枕は、入浴時に頭部を安定して支承し、心身のリラックスに多大の効果を奏するものである。また、反転してもみ作用面を選択して首筋、肩、背中、腰、足裏などのもみを楽な姿勢で容易に行うことができるのである。
【図面の簡単な説明】
【図１】  この発明の入浴用枕の枕本体部の揉み球を上面に転回して配置した状態における全体外観を示す斜視図である。
【図２】  同じく、入浴用枕の枕本体部、両脚部に分解した状態において、各部を下方からみた斜視図である。
【図３】  同じく、入浴用枕の枕本体部単体の正面図である。
【図４】  同じく、入浴用枕の枕本体部単体の安楽支承面を上面に回転した状態の平面図である。
【図５】  同じく、入浴用枕の枕本体部単体の揉み球を突出形成するマッサージ面を上面に回転した状態の平面図である。
【図６】  同じく、入浴用枕の枕本体部単体の側面図である。
【図７】  同じく、入浴用枕の吸盤型固定座付き脚部の正面図である。
【図８】  同じく、入浴用枕の吸盤型固定座付き脚部の側面図である。
【図９】  同じく、入浴用枕の吸盤型固定座付き脚部の構成実施例を示す分解斜視図である。
【図１０】  この発明の入浴用枕を浴槽の縁にセットした使用状態を示す斜視図である。
【符号の説明】
１  入浴用枕
２  枕本体部
３  脚部
３ａ  頂端面
３ｂ  左側面
３ｂ  右側面
３ｃ  脚部半体
４  揉み球
５  マッサージ面
６  湾曲凹陥部
７  安楽支承面
８  外れ止め鍔
９  軸部
１０  又部
１０１  半体又部
１０ａ  軸部
１０ａ１  半体軸部
１１  吸盤型固定座
１１ａ  基台部
１１ｂ  吸着面
１２  取付孔
１３  軸受溝
１３ａ  頂端開口縁
１４  接続筒
１４ａ  ピン部付き接続筒
１４ｂ  ピン部なし接続筒
１５  ピン
１６  浴槽
１６ａ  上縁
１６ｂ  内壁面
【図１】
0004453100.tif 000002
【図２】
0004453100.tif 000003
【図３】
0004453100.tif 000004
【図４】
0004453100.tif 000005
【図５】
0004453100.tif 000006
【図６】
0004453100.tif 000007
【図７】
0004453100.tif 000008
【図８】
0004453100.tif 000009
【図９】
0004453100.tif 000010
【図１０】
0004453100.tif 000011